(57)【要約】【課題】消費電力を低減し、携帯型の装置において連続再生動作時間を延長することができる光ディスク再生装置を提供する。【解決手段】再生手段（１０２〜１０４）と、再生された信号を一時蓄積するバッファメモリ１０６と、一時蓄積した信号を読み出して出力する音声出力部１０８とを備え、バッファメモリ１０６に信号を蓄積した光ディスク１０１の管理情報が記録される外部記憶領域１１３と、外部記憶領域１１３に記録された光ディスク１０１の管理情報と再生手段により再生する光ディスク１０１の管理情報が一致した時、バッファメモリ１０６に一時蓄積した信号を出力するシステム制御部１１２とを有する。【選択図】  図１
2005346782.tif 000002
【特許請求の範囲】
【請求項１】
ディスクに記録された信号を再生する再生手段と、再生された信号を一時蓄積するバッファメモリと、前記一時蓄積した信号を読み出して出力する出力部とを備えたディスク再生装置であって、前記バッファメモリに前記信号を蓄積した前記ディスクの管理情報が記録される外部記憶領域と、前記外部記憶領域に記録された前記ディスクの管理情報と前記再生手段により再生する前記ディスクの管理情報が一致した時、前記バッファメモリに一時蓄積した信号を前記出力部に出力する制御手段とを有することを特徴とするディスク再生装置。
【請求項２】
ディスクに記録された信号を再生する再生手段と、再生された信号を一時蓄積するバッファメモリと、前記一時蓄積した信号を読み出して出力する出力部とを備えたディスク再生装置であって、前記バッファメモリに蓄積された前記ディスクの管理情報が記録される内部記憶領域と、前記内部記憶領域に記録された前記ディスクの管理情報と前記再生手段により再生する前記ディスクの管理情報が一致した時、前記バッファメモリに一時蓄積した信号を前記出力部に出力する制御手段とを有することを特徴とするディスク再生装置。
【請求項３】
ディスクに記録された信号を再生する再生手段と、再生された信号を一時蓄積するとともに前記ディスクの管理情報が記録されるバッファメモリと、前記一時蓄積した信号を読み出して出力する出力部とを備えたディスク再生装置であって、前記バッファメモリに記録された前記ディスクの管理情報と前記再生手段により再生する前記ディスクの管理情報が一致した時、前記バッファメモリに一時蓄積した信号を前記出力部に出力する制御手段とを有することを特徴とするディスク再生装置。
【請求項４】
ディスク再生装置の分解を検出する着脱検出部と、バッファメモリに一時蓄積された信号を消去する情報消去部とをさらに備え、制御手段は、前記着脱検出部の信号を監視して、前記ディスク再生装置の分解を検出した時、前記情報消去部により前記バッファメモリに一時蓄積された信号を消去する請求項１か請求項３のいずれか１項記載のディスク再生装置。
【請求項５】
ディスク再生装置の分解を検出する着脱検出部と、外部記憶領域に記録されたディスクの管理情報を消去する情報消去部とをさらに備え、制御手段は、前記着脱検出部の信号を監視して、前記ディスク再生装置の分解を検出した時、前記情報消去部により前記外部記憶領域に記録された前記ディスクの管理情報を消去する請求項１記載のディスク再生装置。
【請求項６】
ディスク再生装置の分解を検出する着脱検出部と、内部記憶領域に記録されたディスクの管理情報を消去する情報消去部とをさらに備え、制御手段は、前記着脱検出部の信号を監視して、前記ディスク再生装置の分解を検出した時、前記情報消去部により前記内部記憶領域に記録された前記ディスクの管理情報を消去する請求項２記載のディスク再生装置。
【請求項７】
ディスク再生装置の分解を検出する着脱検出部と、バッファメモリに記録したディスクの管理情報を消去する情報消去部とをさらに備え、制御手段は、前記着脱検出部の信号を監視して、前記ディスク再生装置の分解を検出した時、前記情報消去部により前記バッファメモリに記録された前記ディスクの管理情報を消去する請求項３記載のディスク再生装置。
【発明の詳細な説明】
【技術分野】
【０００１】
本発明は、ＣＤ（コンパクトディスク）、ＭＤ（ミニディスク）等のディスク再生装置に関し、特に携帯型の装置に有用な消費電力を削減するディスク再生装置に関する。
【背景技術】
【０００２】
現在、ＣＤに代表される光ディスクはオーディオ信号の記録媒体として急速に普及しており、ランダムアクセス、ディジタル信号処理による高音質化、そして長年の使用による音質劣化がないことが大きな特徴である。これら光ディスクの再生装置において、携帯型の再生装置の主な電力源は電池である。そのため、携帯型再生装置の開発に際して、重要なポイントになるのは省電力化の取組みである。従来からの携帯型再生装置における省電力化の技術として、回路の集積化による回路規模の縮小、回路動作電圧の低電圧化等の技術が開発され、再生動作の長時間化が実現されてきた。
【０００３】
ＣＤにおいては、光ディスクから再生したデータ量よりも、信号処理して出力するデータ量の方が少なくなるように回転速度を制御し、再生したデータを一時メモリに蓄積し、蓄積したデータを一定速度で読み出すことで、オーディオ信号の再生をしている。メモリに十分なデータが蓄積されている間は、新たに光ディスクからデータを再生する必要がなく、光ディスクからデータを再生する回路を停止することができる。また、メモリに蓄積されているデータが少なくなれば、光ディスクから新たにデータを再生してメモリへの蓄積を再開すれば良い。このようなデータ再生動作の停止・再開を繰り返し行う間欠駆動再生技術により、再生回路の冗長な動作による消費電力を削減することができ、光ディスク装置の省電力化に大きく貢献している（例えば特許文献１参照）。
【０００４】
以下に係る技術による従来の光ディスク装置について、図面を用いて説明する。図４は、消費電力を削減する間欠駆動再生技術を備えた従来の光ディスク装置の概略構成を示したブロック図である。光ディスク４０１に記録された信号は、ピックアップ４０２によって再生アンプ４０３を経由し、信号処理部４０４へ出力される。信号処理部４０４に入ってきた光ディスク４０１に記録された信号は、入力された信号に対してディジタル信号処理を行い、処理結果のディジタル信号はメモリ制御部４０５の制御に従って、バッファメモリ４０６へ蓄積される。その後、メモリ制御部４０５は、システム制御部４１２の要求に応じてバッファメモリ４０６に蓄積されたデータを圧縮・伸長部４０７を経由して音声出力部４０８へ出力する。ピックアップ制御部４１０はピックアップ４０２の位置制御を行うための位置誤差信号を再生アンプ４０３より取得し、モータ制御部４１１はモータ４０９の回転数制御を行うための速度制御信号を信号処理部４０４より取得する。
【０００５】
ここで間欠駆動再生技術の核心となるメモリ制御部４０５とシステム制御部４１２の詳細な動作について説明する。一般にＣＤのように圧縮されていない記録データの場合、バッファメモリ４０６からメモリ制御部４０５を介して音声出力部４０８へ出力されるデータの伝送速度よりも、バッファメモリ４０６へメモリ制御部４０５を介して信号処理部４０４から入力されるデータの伝送速度の方が速くなるように制御を行う。そのため、システム制御部４１２の要求により、モータ制御部４１１は、光ディスク４０１からの再生速度が、音声出力部４０８の出力再生速度よりも速くなるように制御される。この制御により、メモリ制御部４０５を介して制御されるバッファメモリ４０６においては、音声出力部４０８への出力よりも、信号処理部４０４からの入力の方が多くなる。バッファメモリ４０６の容量は有限であるので、時間経過とともにバッファメモリ４０６は信号処理部４０４からの信号を蓄積できなくなる。ここでは、この状態をオーバーフローと呼ぶ。逆に信号処理部４０４からの信号が全く入力されない期間が続くと、バッファメモリ４０６に蓄積されている信号が減少し、音声出力部４０８へ途切れなく出力しなければならない信号が不足してしまう。ここでは、この状態をアンダーフローと呼ぶ。バッファメモリ４０６がオーバーフローあるいはアンダーフローの状態になった場合、正しく信号が音声出力部４０８へ伝送されず、その結果、オーディオ信号の途切れや停止に至ってしまう。そのため、システム制御部４１２において、メモリ制御部４０５を介してバッファメモリ４０６のメモリ残量を監視し、オーバーフローになった時点で、再生制御停止を行い、所定の閾値以下になった時点で、再生制御開始を行う。再生制御停止は、システム制御部４１２の要求により、再生アンプ４０３と、ピックアップ制御部４１０と、信号処理部４０４と、モータ制御部４１１と、を停止させることで行い、メモリ制御部４０５はバッファメモリ４０６からのデータ読み出し制御のみを行い、音声出力部４０８へ出力する。このような処理により、システム制御部４１２は、バッファメモリ４０６のメモリ残量がオーバーフローと所定の閾値の間を維持するよう制御する。
【０００６】
以上のように、光ディスク４０１を再生しない区間において、再生アンプ４０３と、ピックアップ制御部４１０と、信号処理部４０４と、モータ制御部４１１と、を停止させるので、冗長な再生動作を休止させることができ、光ディスク装置の省電力化を実現することができる。
【特許文献１】特開２００１−１９５８３号公報（第１図）
【発明の開示】
【発明が解決しようとする課題】
【０００７】
従来の技術による光ディスク再生装置では、間欠駆動再生動作において、光ディスク４０１からの信号の再生を停止している区間において、再生アンプ４０３と、ピックアップ制御部４１０と、信号処理部４０４と、モータ制御部４１１と、を停止して省電力状態になるため、ある程度の電力削減を達成している。しかし、携帯型の光ディスク再生装置としては未だ十分な省電力が図られているとは言い難い。すなわち、一度バッファメモリ４０６へ蓄積された信号は、音声出力部４０８より出力された後、信号処理部４０４から入力される新たな信号によって消去されてしまい、再度同じ信号が必要になった時は、光ディスク４０１からの信号を再度読み出す処理が必要となり、冗長な電力消費が発生していた。
【０００８】
本発明は、このような問題を解決するものであり、従来の技術による光ディスク装置よりも消費電力を低減し、携帯型の装置において連続再生動作時間を延長することができるディスク再生装置を提供することを目的とする。
【課題を解決するための手段】
【０００９】
上記課題を解決するために、本発明のディスク再生装置は、ディスクに記録された信号を再生する再生手段と、再生された信号を一時蓄積するバッファメモリと、一時蓄積した信号を読み出して出力する出力部とを備えたディスク再生装置であって、バッファメモリに信号を蓄積したディスクの管理情報が記録される外部記憶領域と、外部記憶領域に記録されたディスクの管理情報と再生手段により再生するディスクの管理情報が一致した時、バッファメモリに一時蓄積した信号を出力部に出力する制御手段とを有することを特徴とするものである。
【００１０】
本発明の別のディスク再生装置は、ディスクに記録された信号を再生する再生手段と、再生された信号を一時蓄積するバッファメモリと、一時蓄積した信号を読み出して出力する出力部とを備えたディスク再生装置であって、バッファメモリに蓄積されたディスクの管理情報が記録される内部記憶領域と、内部記憶領域に記録されたディスクの管理情報と再生手段により再生するディスクの管理情報が一致した時、バッファメモリに一時蓄積した信号を出力部に出力する制御手段とを有することを特徴とするものである。
【００１１】
本発明の別のディスク再生装置は、ディスクに記録された信号を再生する再生手段と、再生された信号を一時蓄積するとともにディスクの管理情報が記録されるバッファメモリと、一時蓄積した信号を読み出して出力する出力部とを備えたディスク再生装置であって、バッファメモリに記録されたディスクの管理情報と再生手段により再生するディスクの管理情報が一致した時、バッファメモリに一時蓄積した信号を出力部に出力する制御手段とを有することを特徴とするものである。
【００１２】
上記構成において、ディスク再生装置の分解を検出する着脱検出部と、バッファメモリに一時蓄積された信号を消去する情報消去部とをさらに備え、制御手段は、着脱検出部の信号を監視して、ディスク再生装置の分解を検出した時、情報消去部によりバッファメモリに一時蓄積された信号を消去する。
【００１３】
上記構成において、ディスク再生装置の分解を検出する着脱検出部と、外部記憶領域に記録されたディスクの管理情報を消去する情報消去部とをさらに備え、制御手段は、着脱検出部の信号を監視して、ディスク再生装置の分解を検出した時、情報消去部により外部記憶領域に記録されたディスクの管理情報を消去する。
【００１４】
上記構成において、ディスク再生装置の分解を検出する着脱検出部と、内部記憶領域に記録されたディスクの管理情報を消去する情報消去部とをさらに備え、制御手段は、着脱検出部の信号を監視して、ディスク再生装置の分解を検出した時、情報消去部により内部記憶領域に記録されたディスクの管理情報を消去する請求項２記載のディスク再生装置。
【００１５】
上記構成において、ディスク再生装置の分解を検出する着脱検出部と、バッファメモリに記録したディスクの管理情報を消去する情報消去部とをさらに備え、制御手段は、着脱検出部の信号を監視して、ディスク再生装置の分解を検出した時、情報消去部によりバッファメモリに記録されたディスクの管理情報を消去する。
【発明の効果】
【００１６】
本発明のディスク再生装置によれば、バッファメモリにディスクの全信号を蓄積し、ディスク交換後も保持し、ディスク管理情報を用いたディスク判別の結果が同一ディスクの時のみ、バッファメモリからの再生を行わせることで、初回再生以降の冗長な再生動作を休止させることができ、オリジナルのディスクを再生しようとした時のみ再生可能である。これにより、従来の技術による光ディスク再生装置よりも消費電力の低減を実現することができる。
【００１７】
また、ディスク再生装置の分解時はバッファメモリ等に記録された光ディスクの情報を消去するため、光ディスクの不正な複製の作成など著作権の問題も回避できる。
【発明を実施するための最良の形態】
【００１８】
以下、本発明の請求項に係る実施の形態を、図面を参照しながら詳細に説明する。
（実施の形態１）
図１は、本発明の第１の実施の形態に係る光ディスク再生装置の構成を示すブロック図である。
【００１９】
光ディスク１０１に記録された信号は、ピックアップ１０２によって再生アンプ１０３を経由し、信号処理部１０４へ出力される。信号処理部１０４に入ってきた光ディスク１０１に記録された信号は、入力された信号に対してディジタル信号処理を行い、処理結果のディジタル信号はメモリ制御部１０５の制御に従って、バッファメモリ１０６へ全て蓄積される。その後、メモリ制御部４０５は、システム制御部１１２の要求に応じてバッファメモリ１０６に蓄積された信号を圧縮・伸長部１０７を経由して音声出力部１０８へ出力する。ピックアップ制御部１１０はピックアップ１０２の位置制御を行うための位置誤差信号を再生アンプ１０３より取得し、モータ制御部１１１はモータ１０９の回転数制御を行うための速度制御信号を信号処理部１０４より取得し、外部記憶領域１１３は信号処理部１０４とシステム制御部１１２を介して光ディスク１０１の管理情報を記録する。
【００２０】
本実施の形態では、光ディスク管理情報の記録を、外部記憶領域を例に取って説明しているが、システム制御部の内部記憶領域や、バッファメモリ１０６で光ディスク管理情報の記録を行っても構わないことは言うまでもない。
【００２１】
次いで、上記構成を有する光ディスク再生装置の動作について説明する。
【００２２】
光ディスク１０１に記録された信号は、ピックアップ１０２によって再生アンプ１０３を経由し、信号処理部１０４へ出力される。信号処理部１０４に入ってきた光ディスク１０１に記録された信号は、入力された信号に対してディジタル信号処理を行い、処理結果のディジタル信号はメモリ制御部１０５の制御に従って、バッファメモリ１０６へ全て蓄積していき、光ディスク１０１から読み出せるディジタル信号は全てバッファメモリ１０６へ格納される。外部記憶領域１１３に光ディスク１０１の管理情報を記録した後、光ディスク１０１の交換を行い、その後、先と同一の光ディスク１０１の再生時、信号処理部１０４より取得される光ディスク１０１の管理情報と、外部記憶領域１１３に記録した管理情報と、を比較し、一致した場合、バッファメモリ１０６に蓄積済みの信号を圧縮・伸長部１０７を介して音声出力部１０８より外部に出力される。管理情報の比較工程により、オリジナルの光ディスク１０１が再生可能状態にある時のみ、バッファメモリ１０６からの再生が可能であり、光ディスク１０１の著作権保護が可能となる。管理情報としては、例えばＣＤの場合は、最初の楽章番号、最後の楽章番号、リードアウトが始まる絶対時間、等があり、これを例に取って、図２に示すフローチャートを用いて説明する。
【００２３】
ステップＳＴ２０１において、最初の楽章番号の比較を行い、一致した場合のみステップＳＴ２０２に行く。ステップＳＴ２０２においては、最後の楽章番号の比較を行い、一致した場合は、同様にステップＳＴ２０３に行く。ステップＳＴ２０３においては、リードアウトが始まる絶対時間の比較を行い、一致した場合は、光ディスク１０１の管理情報と、外部記憶領域１１３に記録した管理情報と、が一致していると判断し、バッファメモリ１０６に蓄積済みの信号を圧縮・伸長部１０７を介して音声出力部１０８より外部に出力する。不一致と判断した場合は、従来どおり、ピックアップ１０２、再生アンプ１０３、信号処理部１０４、から光ディスク１０１の信号を取得し、再生を行う。
（実施の形態２）
図３は、本発明の第２の実施の形態に係る光ディスク再生装置の構成を示すブロック図である。
【００２４】
図３に示す通り、第２の実施の形態における光ディスク再生装置は、ピックアップ３０２、再生アンプ３０３、信号処理部３０４、メモリ制御部３０５、バッファメモリ３０６、圧縮・伸長部３０７、音声出力部３０８、モータ３０９、ピックアップ制御部３１０、モータ制御部３１１、システム制御部３１２、外部記憶領域３１３、着脱検出部３１４、情報消去部３１５、を備えており、光ディスク３０１に記録された信号を再生して利用するものである。光ディスク３０１、ピックアップ３０２、再生アンプ３０３、信号処理部３０４、メモリ制御部３０５、バッファメモリ３０６、圧縮・伸長部３０７、音声出力部３０８、モータ３０９、ピックアップ制御部３１０、モータ制御部３１１、外部記憶領域３１３については、本発明の第１の実施の形態に係る光ディスク再生装置と同様であり、その説明は省略する。
【００２５】
外部記憶領域３１３に光ディスク３０１の管理情報を記録した後、光ディスク３０１の交換を行い、その後、先と同一の光ディスク３０１の再生時、信号処理部３０４より取得される光ディスク３０１の管理情報と、外部記憶領域３１３に記録した管理情報と、を比較し、一致した場合、バッファメモリ３０６に蓄積済みの信号を圧縮・伸長部３０７を介して音声出力部３０８より外部に出力される。
【００２６】
着脱検出部３１４は、光ディスク再生装置の分解を検出し、システム制御部３１２に信号を出力する。分解検出方法の例としては、筐体固定用のネジを信号接点に用い、筐体開放時の判別を行う、という方法がある。この方法の場合、ネジを締めた状態ではグランドに短絡、ネジを外した状態では開放、としておき、信号線にプルアップ抵抗を付加しておく。ネジが締められた状態ではＬ（ロー）論理、ネジが外されるとＨ（ハイ）論理、となり検出が可能である。この他にも、携帯型の光ディスク再生装置で一般的な、ディスク交換用の蓋開閉、等も分解検出方法として使用可能である。システム制御部３１２は着脱検出部３１４の分解検出信号を取得した場合、情報消去部３１５に指示を出し、情報消去部３１５はバッファメモリ３０６に蓄積された信号を消去する。バッファメモリ３０６の媒体として、不揮発性のメモリを使用することで、光ディスク再生装置を使用しない期間も蓄積信号を保存しておくことが可能である。通常、不揮発性メモリを使用した場合、光ディスク３０１の交換後も蓄積信号を消去しないで保存しておくことは、光ディスク３０１の不正な複製に該当するが、筐体開放時に蓄積信号を消去するので、信号が蓄積された不揮発性メモリは、本発明の光ディスク再生装置で使用する場合のみ再利用可能であるので、光ディスク３０１の不正な複製から回避できる。
【００２７】
本実施の形態では、着脱検出部３１４により分解検出信号をシステム制御部３１２が取得した時、情報消去部３１５にてバッファメモリ３０６に蓄積された信号を消去する方法を例に取って説明したが、システム制御部３１２の外部記憶領域３１３に記録された光ディスク３０１の管理情報を消去する方法でも構わない。また、光ディスク３０１の管理情報を記録するのは、システム制御部の内部記憶領域や、バッファメモリ、でも構わない。
【００２８】
このように、本実施の形態の光ディスク再生装置によれば、初回再生以降の冗長な再生動作を休止させることができるため、冗長な電力消費を低減することができる。
【産業上の利用可能性】
【００２９】
本発明にかかるディスク再生装置は、消費電力を削減することができる等の効果を有し、携帯用のディスク再生装置等として有用である。
【図面の簡単な説明】
【００３０】
【図１】本発明の第１の実施の形態による光ディスク再生装置の構成を示すブロック図である。
【図２】本発明の第１の実施の形態に係る光ディスク再生装置の動作を説明するためのフローチャートである。
【図３】本発明の第２の実施の形態による光ディスク再生装置の構成を示すブロック図である。
【図４】従来の光ディスク再生装置の構成を示すブロック図である。
【符号の説明】
【００３１】
１０１、３０１、４０１      光ディスク
１０２、３０２、４０２      ピックアップ
１０３、３０３、４０３      再生アンプ
１０４、３０４、４０４      信号処理部
１０５、３０５、４０５      メモリ制御部
１０６、３０６、４０６      バッファメモリ
１０７、３０７、４０７      圧縮・伸長部
１０８、３０８、４０８      音声出力部
１０９、３０９、４０９      モータ
１１０、３１０、４１０      ピックアップ制御部
１１１、３１１、４１１      モータ制御部
１１２、３１２、４１２      システム制御部
１１３、３１３              外部記憶領域
３１４                      着脱検出部
３１５                      情報消去部
ＳＴ２０１                  最初の楽章番号一致確認工程
ＳＴ２０２                  最後の楽章番号一致確認工程
ＳＴ２０３                  リードアウト開始絶対時間一致確認工程
【図１】
2005346782.tif 000003
【図２】
2005346782.tif 000004
【図３】
2005346782.tif 000005
【図４】
2005346782.tif 000006